(57)【要約】【課題】筒体にクリップを装着してなる筆記具において、クリップを着脱自在に装着するとともに、紐を取付け及び取り外し可能な孔部を有する筆記具を提供する。【解決手段】本発明は、筆記具を構成する筒体にクリップを着脱自在に付設してなる筆記具であって、前記筒体の一方の端部に頭冠を装着し、前記筒体又は頭冠の外周面に、前記筒体又は頭冠の外周面から突出し、前記筒体又は頭冠の外周面と離間して長手方向に延びる非円周状の突片を形成し、前記筒体又は頭冠に、一端及び側面に開口部を有する装着部を設け、前記装着部の一端の開口部から装着部内に、前記クリップに設けた取付部を挿入可能又は前記装着部の一端の開口部から前記クリップの取付部を取り外し可能とするとともに、前記クリップを付設又は取り外した状態で、前記筒体の一方の端部に頭冠を装着することで、前記頭冠又は筒体が、前記装着部の一端の開口部を閉鎖することを特徴とする。【選択図】図１
2014079912.tif 000002
【特許請求の範囲】
【請求項１】
筆記具を構成する筒体にクリップを着脱自在に付設してなる筆記具であって、前記筒体の一方の端部に頭冠を装着し、前記筒体又は頭冠の外周面に、前記筒体又は頭冠の外周面から突出し、前記筒体又は頭冠の外周面と離間して長手方向に延びる非円周状の突片を形成し、前記筒体又は頭冠に、一端及び側面に開口部を有する装着部を設け、前記装着部の一端の開口部から装着部内に、前記クリップに設けた取付部を挿入可能又は前記装着部の一端の開口部から前記クリップの取付部を取り外し可能とするとともに、前記クリップを付設又は取り外した状態で、前記筒体の一方の端部に頭冠を装着することで、前記頭冠又は筒体が、前記装着部の一端の開口部を閉鎖することを特徴とする筆記具。
【請求項２】
前記装着部の一端の開口部を閉鎖する頭冠又は筒体に、該頭冠又は筒体の外周面から突出する突部を設け、該突部が前記装着部の一端の開口部を閉鎖する請求項１に記載の筆記具。
【請求項３】
前記筒体と頭冠が、着脱自在に螺着してあることを特徴とする請求項１または２に記載の筆記具。
【発明の詳細な説明】
【技術分野】
【０００１】
本発明は、筆記具を構成する筒体の外周面に、クリップを着脱自在に装着してなる筆記具に関する。
【背景技術】
【０００２】
従来から、筆記具として、例えば、筆記具を構成する筒体の外周面にクリップを装着してなる筆記具は良く知られている。こうしたクリップを装着した筆記具において、実開平６−８３３８９号「クリップ取付装置」では、クリップを筒体とクリップ押さえで挟持して装着してなる筆記具が開示されている。
【０００３】
また、実開平６−４５７８０号公報「筆記具のキャップ」では、クリップとキャップとの間に開口部を有した孔部が設けられ、該孔部に紐が取付け及び取り外し可能とした筆記具が開示されている。
【先行技術文献】
【特許文献】
【０００４】
【特許文献１】実開平６−８３３８９号公報
【特許文献２】実開平６−４５７８０号公報
【発明の開示】
【発明が解決しようとする課題】
【０００５】
ところで、前記した特許文献１、２など従来の筆記具は、ポケット等に挟持するために、クリップを設けている。しかし、カバン等で筆記具を持ち運ぶ場合には、ペンケース等に入れるため、クリップを必要としないケースも多い。一方で、クリップを必要としないが、ストラップを取り付ける等、紐を取付け可能とする筆記具が切望されている。
【０００６】
本発明の目的は、筒体にクリップを装着してなる筆記具において、クリップを着脱自在に装着するとともに、紐を取付け及び取り外し可能な孔部を有する筆記具を提供するものである。
【課題を解決するための手段】
【０００７】
上記目的を達成するために、本発明は、筆記具を構成する筒体にクリップを着脱自在に付設してなる筆記具であって、前記筒体の一方の端部に頭冠を装着し、前記筒体又は頭冠の外周面に、前記筒体又は頭冠の外周面から突出し、前記筒体又は頭冠の外周面と離間して長手方向に延びる非円周状の突片を形成し、前記筒体又は頭冠に、一端及び側面に開口部を有する装着部を設け、前記装着部の一端の開口部から装着部内に、前記クリップに設けた取付部を挿入可能又は前記装着部の一端の開口部から前記クリップの取付部を取り外し可能とするとともに、前記クリップを付設又は取り外した状態で、前記筒体の一方の端部に頭冠を装着することで、前記頭冠又は筒体が、前記装着部の一端の開口部を閉鎖することを特徴とする。
【０００８】
また、前記装着部の一端の開口部を閉鎖する頭冠又は筒体に、該頭冠又は筒体の外周面から突出する突部を設け、該突部が前記装着部の一端の開口部を閉鎖する。
【０００９】
本願発明の第１の構成によれば、前記筒体の一方の端部に頭冠を装着し、前記筒体又は頭冠の外周面に、前記筒体又は頭冠の外周面から突出し、前記筒体又は頭冠の外周面と離間して長手方向に延びる非円周状の突片を形成し、前記筒体又は頭冠に、一端及び側面に開口部を有する装着部を設け、前記装着部の一端の開口部から装着部内に、前記クリップに設けた取付部を挿入可能又は前記装着部の一端の開口部から前記クリップの取付部を取り外し可能とするとともに、前記クリップを付設又は取り外した状態で、前記筒体の一方の端部に頭冠を装着することで、前記頭冠又は筒体が、前記装着部の一端の開口部を閉鎖することで、前記装着部の一端の開口部が開口した状態で、該開口部からクリップを容易に取り外すことができ、クリップを装着後は前記頭冠又は筒体によって前記装着部の一端の開口部を閉鎖することによって、不用意にクリップが外れることはない。
【００１０】
また、前記クリップを取り外した状態でも、前記頭冠又は筒体によって、前記装着部の一端の開口部を閉鎖することができ、両側面の開口部は開口したままの状態となる。そのため、紐等、側面の開口部を挿通して使用することが可能となる効果を奏する。尚、紐を挿通する場合も、装着部の一端の開口部を開口することによって容易に実施可能である。
【００１１】
本願発明の第２の構成によれば、前記装着部の一端の開口部を閉鎖する頭冠又は筒体に、該頭冠又は筒体の外周面から突出する突部を設け、該突部が前記装着部の一端の開口部を閉鎖することで、頭冠又は筒体の外径を大きくして前記装着部の一端の開口部を閉鎖する場合に比べ、装着部及び突部が、筒体の外周面及び頭冠の外周面から一部分のみが突出しているため、装着部からクリップを取り外しても、机上などで筆記具が回転することを防止する、回り止め突起となる効果を奏する。
【００１２】
尚、本発明の筆記具を構成する筒体には、軸筒、キャップ等、筆記具を構成する従来から知られている筒体を適宜用いることができる。また、頭冠とは、前記した筒体に着脱自在に装着することができ、筒体と頭冠を装着することで装着部の後端又は先端の開口部を閉鎖することができる部材のことであって、尾栓形状、冠形状、蓋形状等、特に限定されるものではない。
【００１３】
また、本願発明の第２の構成によれば、前記突部が前記装着部の一端の開口部を閉鎖することで、頭冠を完全に取り外すことなく、筒体又は頭冠の回転によって、装着部と突部の回転方向の位置をずらすことで、前記装着部の一端の開口部が開口してクリップを着脱することが可能となる。
【発明の効果】
【００１４】
本発明は、筒体にクリップを装着してなる筆記具において、クリップを着脱自在に装着するとともに、紐を取付け及び取り外し可能な孔部を有する筆記具を提供することができた。
【図面の簡単な説明】
【００１５】
【図１】第１の実施形態の筆記具を示す縦断面図である。
【図２】図１におけるクリップを取り外した状態を示す図である。
【図３】図１におけるＡ−Ａ矢視断面図である。
【図４】図２におけるＢ−Ｂ矢視断面図である。
【図５】図１におけるクリップを取り外す状態を示す、一部省略した説明図である。
【図６】第２の実施形態の筆記具を示す縦断面図である。
【図７】図６におけるクリップを取り外した状態を示す図である。
【図８】図６におけるＣ−Ｃ矢視断面図である。
【図９】図７におけるＤ−Ｄ矢視断面図である。
【図１０】図６におけるクリップを取り外した状態を示す、一部省略した図である。
【発明を実施するための最良の形態】
【００１６】
次に図面を参照しながら、本発明の筆記具の実施形態を説明するが、本発明は以下の実施形態に限定されるものではない。
【００１７】
図１から図５に示す第１実施形態の筆記具１は、軸筒（筒体）２と頭冠３を螺着して得た軸筒本体内に収容したボールペンレフィルからなる筆記体７を、コイルスプリング１１によって、頭冠３の後端方向に向かって、摺動自在に付勢して収容してあり、頭冠３に配設したノック体５を押圧することによって、回転カム４からなる従来から知られている回転カムによる出没機構を作動させ、ボールペンチップ９の先端部を軸筒２の先端開口部２Ａから出没可能としてある。軸筒２の把持部にはグリップ１２を二色成形により装着してあり、頭冠３の内壁にはカム溝（図示せず）を設けてある。
【００１８】
軸筒（筒体）２の外周面には、該軸筒２の外周面から外方に突出し、且つ軸筒２の後方側（頭冠３側）に向かって、軸筒２の外周面と離間して長手方向に延びる非円周状、且つ縦断面が略Ｌ字状の突片２Ｂを一体に設けてある。この突片２Ｂを設けることで、軸筒２に、後端の開口部Ｔ１及び側面の開口部Ｔ２を有する装着部Ｓ１を設けてあり、前記装着部Ｓ１にクリップ６の取付部６Ａを装着又は取り外し可能に付設してある。
【００１９】
また、軸筒２の後端部には、頭冠３を着脱自在に螺合してある。具体的には、軸筒２の後端部内に設けた雌ねじ部２Ｃに、頭冠３の雄ねじ部３Ｂを着脱自在に螺着してある。この頭冠３は、クリップ６を装着又は取り外した状態で、軸筒２に着脱自在としてあり、軸筒２の後端部に頭冠３を装着することで、頭冠３の外周面から突出して設けた突部３Ａが、前記装着部Ｓ１の後端の開口部Ｔ１を閉鎖する。
【００２０】
また、前記装着部Ｓ１の後端の開口部Ｔ１からクリップ６を取り外すには、軸筒２の後端部から頭冠３を取り外し、又は頭冠３を回転させ、装着部Ｓ１の後端の開口部Ｔ１を開口する。その後、装着部Ｓ１の後端の開口部Ｔ１からクリップ６を後方に押圧することで、クリップ６の取付部６Ａを装着部Ｓ１から後方に移動させて、クリップ６を取り外すことができる。また、前記装着部Ｓ１の後端の開口部Ｔ１からクリップ６を取り外した状態で、軸筒２の後端部に頭冠３を螺着して、装着部Ｓ１の後端の開口部Ｔ１を閉鎖することができる。
【００２１】
前記した軸筒２の装着部Ｓ１にクリップ６を装着するには、軸筒６の後端部から頭冠３を取り外し又は回転し、装着部Ｓ１の後端の開口部Ｔ１を開口する。その後、装着部Ｓ１の後端の開口部Ｔ１に、クリップ６に一体に設けた横断面がコ字状の底片の取付部６Ａを、装着部Ｓ１の後端の開口部Ｔ１から軸筒先端側に挿入することで、クリップ６を装着することができる。さらにその後、軸筒２の後端部に、頭冠３を螺着すると、頭冠３の外周面から突出して設けた突部３Ａが、前記装着部Ｓ１の後端の開口部Ｔ１を閉鎖してクリップ６の脱落を防止する。
【００２２】
また、クリップ６を取り外した状態で、軸筒２の後端部に頭冠３を螺着しても、装着部Ｓ１の側面の開口部Ｔ２にストラップ等の紐部材（図示せず）を挿通して取り付けて使用することができる。尚、前記した紐部材は、頭冠３の装着後に挿通することも可能であるが、頭冠３を取り外した後、紐部材を挿通し、頭冠３を装着することで、容易に紐部材を取り付けることができる。
【００２３】
軸筒内に配設した筆記体７は、インキ収容筒８の先端部内に、ポリプロピレン製のチップホルダー９の後端部を圧入装着し、チップホルダー９の先端圧入部に、ボールを回転自在に抱持したボールペンチップ１０の後端部に形成した小径部を圧入装着してボールペンレフィル形態の筆記体７である。尚、インキ収容筒７の後端部には、尾栓を装着し、インキ収容筒内には、黒色のボールペン用インキ及びインキ追従体を直に収容している。
【００２４】
図６から図１０に示す第２実施形態の筆記具１０１は、頭冠１０２の外周面には、該頭冠１０３の外周面から外方に突出し、且つ頭冠１０３の先端側（軸筒１０２側）に向かって、頭冠３の外周面と離間して長手方向に延びる非円周状の突片１０３Ａを一体に設けてある。この突片１０３Ａを設けることで、頭冠１０３に、先端の開口部Ｔ３及び側面の開口部Ｔ４を有する装着部Ｓ２を設けてあり、前記装着部Ｓ２にクリップ６の取付部６Ａを装着又は取り外し可能に付設し、軸筒（筒体）１０２と頭冠１０３を凹凸嵌合することで、軸筒１０２の外周面から突出して設けた突部１０２Ａが装着部Ｓ２の先端の開口部Ｋ３を閉鎖する以外は、第１実施形態と同様にして筆記具１０１を得ている。
【００２５】
本実施形態では、便宜上、頭冠をネジ嵌合によって螺着することで、装着部の一端の開口部を開閉自在としてあるが、頭冠の装着方法は、凹凸嵌合、乗り越し嵌合、ネジ嵌合、圧入嵌合等によって着脱自在に装着、或いは、軸筒後端部にヒンジ部を形成し、頭冠を軸筒に対し回動自在に配設するなど、特に限定されるものではないが、前記筒体と頭冠が、着脱自在に螺着することで、クリップをポケット等に挟持した時に、頭冠が開口する方向へは力が働き難く、且つ繰り返し、装着部の一端の開口部を開閉しても、筒体と頭冠との装着力に影響が少ないため、不用意に装着部の後端の開口部を開口することがないので好ましい。
【００２６】
また、突片及び取付部の横断面形状は特に限定されるものではないが、クリップは、クリップ片と取付部によって、突片を覆うように装着してあるため、突片の横断面を略長方形（横断面が非円形）とすることで、クリップが突片に対して回転することを抑制できるので好ましい。
【００２７】
本実施形態では、便宜上、回転カムによる出没式筆記具を例示しているが、回転操作により、筆記部を軸筒前端開口部から出没させる機構等、ノック式、スライド式、キャップ式等、特に限定されるものではない。
【産業上の利用可能性】
【００２８】
本発明の筆記具は、インキの種類に限定されることなく、クリップを着脱自在に付設した筆記具として広く実施可能である。
【符号の説明】
【００２９】
１、１０１  筆記具
２、１０２  前軸
２Ａ  先端開口部
２Ｂ  突片
２Ｃ  雌ねじ部
３、１０３  頭冠
３Ａ  突部
４  回転カム
５  ノック体
６  クリップ
６Ａ  取付部
７  筆記体
８  インキ収容筒
９  チップホルダー
１０  ボールペンチップ
１１  コイルスプリング
１０３Ａ  突片
１０２Ｂ  突部
Ｓ１、Ｓ２  装着部
Ｔ１、Ｔ３  一端の開口部
Ｔ２、Ｔ４  側面の開口部
【図１】
2014079912.tif 000003
【図２】
2014079912.tif 000004
【図３】
2014079912.tif 000005
【図４】
2014079912.tif 000006
【図５】
2014079912.tif 000007
【図６】
2014079912.tif 000008
【図７】
2014079912.tif 000009
【図８】
2014079912.tif 000010
【図９】
2014079912.tif 000011
【図１０】
2014079912.tif 000012